(57)【要約】【課題】  他のカメラの撮影条件を設定する際に設定変更後の撮影映像を確認することができなかった。また撮影条件設定後に撮影条件を変更した場合は、撮影条件がずれた映像を撮影してしまう。そのため撮影中や互いが離れた場所にいる場合は撮影条件設定を変更できない問題があった。また撮影中において他のカメラの映像や動作状況が確認できないため、複数台同時撮影の連携がうまくとれない欠点があった。【解決手段】  撮像部と画像データの記録部からなる撮影手段、他の撮影装置に対して該情報と撮影映像、設定変更情報を含む送信情報を送信する手段、他の撮影装置から送信情報を受信する受信手段、受信した受信情報を記録保持する情報記録手段、受信した情報を表示する表示手段を具備した事を特徴とする撮影装置。【選択図】  図１
2008042462.tif 000002
【特許請求の範囲】
【請求項１】
撮像部と画像データの記録部からなる撮影手段、他の撮影装置に対して該情報と撮影映像を含む送信情報を送信する手段、他の撮影装置から送信情報を受信する受信手段、受信した受信情報を記録保持する情報記録手段、受信した情報を表示する表示手段を具備した事を特徴とする撮影装置。
【請求項２】
請求項１の撮影装置であって、該情報は記録ビットレート、ＡＥ値、ホワイトバランス値、アスペクト比、撮影画像の画質の撮影条件情報を含む事を特徴とする撮影装置。
【請求項３】
請求項２の撮影装置であって、受信手段によって撮影条件情報が受信されたとき、前記撮影条件情報を撮影条件に設定する情報処理手段を具備した事を特徴とする撮影装置。
【請求項４】
請求項３の撮影装置であって、受信した撮影情報を撮影条件に設定する際、設定する条件をユーザーによる操作により選択できる手段を具備した事を特徴とする撮影装置。
【請求項５】
請求項３の撮影装置であって、他の撮影装置の撮影条件を受信した場合、自身撮影装置の撮影条件と受信した他の撮影装置の撮影条件を画面表示し、撮影条件を比較し、設定する撮影条件の撮影装置を選択することができる手段を具備した事を特徴とする撮影装置。
【請求項６】
請求項５の撮影装置であって、撮影条件の撮影装置を選択する際に前記撮影条件撮影装置の撮影映像を表示する手段を具備した事を特徴とする撮影装置。
【請求項７】
請求項３の撮影装置であって、撮影条件を設定した後に撮影条件を変更した際は、条件変更情報を他の撮影装置に送信する手段を具備し、条件変更情報を受信した際は条件変更を設定するかをユーザーによる操作により選択できる情報処理手段を具備した事を特徴とする撮影装置。
【請求項８】
請求項６の撮影装置であって、表示装置に直視パネルとファインダーを具備し、撮影条件を直視パネルに表示し、撮影条件の撮影装置撮影画像をファインダーに表示する手段を具備した事と特徴とする撮影装置。
【請求項９】
請求項８の撮影装置であって、直視パネルに表示されている撮影条件を自身撮影装置の撮影映像に切り換えることができる手段を具備した事を特徴とする撮影装置。
【請求項１０】
請求項６の撮影装置であって、撮影条件と自身撮影装置の撮影映像と撮影条件撮影装置の撮影映像を画面分割表示により一画面に表示する手段を具備した事を特徴とする撮影装置。
【請求項１１】
請求項６の撮影装置であって、自身撮影装置の撮影条件と撮影映像を合わせて画面全体に表示した表示と、撮影条件撮影装置の撮影条件と撮影映像を合わせて画面全体に表示した表示をユーザー操作により切り換え選択できる手段を具備した事を特徴とする撮影装置。
【請求項１２】
請求項６の撮影装置であって、見る角度により映像が異なる１画面２画像表示液晶を具備し、１方向からは自身撮影装置の撮影条件と撮影映像を合わせて画面全体に表示し、前記と異なる方向からは撮影条件撮影装置の撮影条件と撮影映像を合わせて画面全体に表示する手段を具備した事を特徴とする撮影装置。
【請求項１３】
請求項１の撮影装置であって、該情報は動作モード状態、ズーム状態の撮影動作情報を含む事を特徴とする撮影装置。
【請求項１４】
請求項１３の撮影装置であって、撮影動作変更に応じて撮影動作情報の送信動作をおこなう事を特徴とする撮影装置。
【請求項１５】
請求項１の撮影装置であって、該情報は残バッテリー情報、残メモリー情報を含む事を特徴とする撮影装置。
【請求項１６】
請求項１５の撮影装置であって、定期的に該情報の送信動作をおこなう事を特徴とする撮影装置。
【発明の詳細な説明】
【技術分野】
【０００１】
本発明は撮影に際して少なくとも２台のカメラが通信をすることが可能な通信システムに関するものである。
【背景技術】
【０００２】
従来から、複数のカメラを使用して撮影を行うことがある。複数のカメラを使って、同一被写体を連携して撮影することで、複数カメラによる多角的な撮影を行い、これを編集によりつなぎ合わせることで放送局並の高度な撮影作品を実現することができる。この複数撮影の際に各カメラの撮影条件である露出値、ホワイトバランス値、記録ビットレート、アスペクト比等にばらつきがあると編集してつなぎ合わせた際に違和感のある映像となってしまう。そこでカメラの撮影条件を合わせるために各カメラの撮影条件を表示し、各カメラの撮影条件を調べた上で、各カメラに対し各撮影条件の設定操作を行なわなければならず、この一連の操作は煩雑であった。従来技術ではカメラに他のカメラの撮影条件を設定する場合には、両カメラをケーブル接続もしくは無線通信が可能な範囲内に設置した状態で、カメラ間にて通信をおこない他のカメラに対し所定の情報通信操作を行うことによって、カメラに設定されている撮影条件情報を他のカメラに送信する。受信手段によって送信された撮影条件情報が受信され、情報処理手段によって、該撮影条件情報に基づきカメラの撮影条件設定が行われる。
【特許文献１】特開2005-073201号公報
【発明の開示】
【発明が解決しようとする課題】
【０００３】
しかしながら、上記従来例では他のカメラの撮影条件を設定する際に各カメラの撮影条件の比較や各カメラの映像比較を同一カメラですることができず、設定変更後の撮影映像を確認することができなかった。また撮影条件設定は受信した情報全てに対して行われ、変更したい情報を選択することができなかった。また撮影条件設定後に撮影条件を変更した場合は、再度設定変更作業を繰り返さなくてはならず、お互いのカメラが離れた場所で撮影途中に撮影条件設定を変更した場合は、もう一方のカメラにはその変更を伝えることは難しく、撮影条件がずれた映像を撮影してしまう。そのため撮影中や互いが離れた場所にいる場合は撮影条件設定を変更できない問題があった。また撮影中において他のカメラの映像や動作状況が確認できないため、複数台同時撮影の連携がうまくとれない欠点があった。
【０００４】
本発明の目的は、他のカメラに設定されている撮影条件と同じ条件を設定する際に設定後の映像を容易に確認することができ、また設定後に変更を行った場合でも同一設定に変更することができる。また他のカメラの映像、動作モードや情報が容易に確認可能なカメラを提供することである。
【課題を解決するための手段】
【０００５】
なお、さらに詳細に説明すれば、本発明は下記の構成によって前記課題を解決できた。
【０００６】
（１） 撮像部と画像データの記録部からなる撮影手段、他の撮影装置に対して該情報と撮影映像を含む送信情報を送信する手段、他の撮影装置から送信情報を受信する受信手段、受信した受信情報を記録保持する情報記録手段、受信した情報を表示する表示手段を具備した事を特徴とする撮影装置。
【０００７】
(２)前記（１）の撮影装置であって、該情報は記録ビットレート、ＡＥ値、ホワイトバランス値、アスペクト比、撮影画像の画質の撮影条件情報を含む事を特徴とする撮影装置。
【０００８】
(３)前記（２）の撮影装置であって、受信手段によって撮影条件情報が受信されたとき、前記撮影条件情報を撮影条件に設定する情報処理手段を具備した事を特徴とする撮影装置。
【０００９】
(４)前記（３）の撮影装置であって、受信した撮影情報を撮影条件に設定する際、設定する条件をユーザーによる操作により選択できる手段を具備した事を特徴とする撮影装置。
【００１０】
(５)前記（３）の撮影装置であって、他の撮影装置の撮影条件を受信した場合、自身撮影装置の撮影条件と受信した他の撮影装置の撮影条件を画面表示し、撮影条件を比較し、設定する撮影条件の撮影装置を選択することができる手段を具備した事を特徴とする撮影装置。
【００１１】
(６)前記（５）の撮影装置であって、撮影条件の撮影装置を選択する際に前記撮影条件撮影装置の撮影映像を表示する手段を具備した事を特徴とする撮影装置。
【００１２】
(７)前記（３）の撮影装置であって、撮影条件を設定した後に撮影条件を変更した際は、条件変更情報を他の撮影装置に送信する手段を具備し、条件変更情報を受信した際は条件変更を設定するかをユーザーによる操作により選択できる情報処理手段を具備した事を特徴とする撮影装置。
【００１３】
(８)前記（６）の撮影装置であって、表示装置に直視パネルとファインダーを具備し、撮影条件を直視パネルに表示し、撮影条件の撮影装置撮影画像をファインダーに表示する手段を具備した事と特徴とする撮影装置。
【００１４】
(９)前記（８）の撮影装置であって、直視パネルに表示されている撮影条件を自身撮影装置の撮影映像に切り換えることができる手段を具備した事を特徴とする撮影装置。
【００１５】
(１０)前記（６）の撮影装置であって、撮影条件と自身撮影装置の撮影映像と撮影条件撮影装置の撮影映像を画面分割表示により一画面に表示する手段を具備した事を特徴とする撮影装置。
【００１６】
(１１)前記（６）の撮影装置であって、自身撮影装置の撮影条件と撮影映像を合わせて画面全体に表示した表示と、撮影条件撮影装置の撮影条件と撮影映像を合わせて画面全体に表示した表示をユーザー操作により切り換え選択できる手段を具備した事を特徴とする撮影装置。
【００１７】
(１２)前記（６）の撮影装置であって、見る角度により映像が異なる１画面２画像表示液晶を具備し、１方向からは自身撮影装置の撮影条件と撮影映像を合わせて画面全体に表示し、前記と異なる方向からは撮影条件撮影装置の撮影条件と撮影映像を合わせて画面全体に表示する手段を具備した事を特徴とする撮影装置。
【００１８】
(１３)前記（１）の撮影装置であって、該情報は動作モード状態、ズーム状態の撮影動作情報を含む事を特徴とする撮影装置。
【００１９】
(１４)前記（１３）の撮影装置であって、撮影動作変更に応じて撮影動作情報の送信動作をおこなう事を特徴とする撮影装置。
【００２０】
(１５)前記（１）の撮影装置であって、該情報は残バッテリー情報、残メモリー情報を含む事を特徴とする撮影装置。
【００２１】
(１６)前記（１５）の撮影装置であって、定期的に該情報の送信動作をおこなう事を特徴とする撮影装置。
【発明の効果】
【００２２】
以上説明したように、本発明によれば、他のカメラの撮影条件を設定する際に各カメラの撮影条件の比較や各カメラの映像比較を同一カメラですることができ、設定する撮影条件のカメラの撮影映像を表示することで設定変更後の撮影映像を確認することができる。また撮影条件設定は受信した情報に対して変更したい情報を選択し、変更を実施することができる。また撮影条件設定後に撮影条件を変更した場合は、変更情報を送受信するため、変更内容を反映することができ、常に撮影条件を同一にすることができ撮影中や互いが離れた場所にいる場合は撮影条件設定を変更できる。また撮影中において他のカメラの映像や動作状況を自身カメラの撮影映像と共に確認できるため、複数台同時撮影の連携をとることができる。
【発明を実施するための最良の形態】
【００２３】
（実施例１）
以下本発明の実施例を図１から図４により説明する。図１は本発明の実施例である光ディスクメディアを用いたディスクカムコーダーの構成を示すシステムブロック図である。１は撮像センサー（ＣＣＤ）および音声の入力手段、２はカメラ画像データを記録するために静止画はＪＰＥＧで、動画はＭＰＥＧ２のデータ圧縮等を施す映像および音声信号の信号処理手段、３は記録処理手段、再生処理手段を備えたＤＶＤ−Ｒドライブ装置、４は記録媒体であるＤＶＤ−Ｒ、５はユーザー情報を保持するメモリー回路、６はシステムコントロール回路、７は、Ｂｌｕｅｔｏｏｔｈ（Ｂｌｕｅｔｏｏｔｈは登録商標）規格に対応した無線通信回路、８はユーザーが撮影操作とメニュー操作やユーザー情報を入力する操作ＫＥＹ、９は記録するカメラ撮影映像または再生画像をモニターしたり、装置ステータス情報や操作情報を表示するための直視用ＬＣＤパネルを用いた表示装置、１０は記録するカメラ撮影映像または再生画像をモニターしたり、装置ステータス情報や操作情報を表示するためのビューファインダー用ＬＣＤを用いた表示装置である。これらすべてのブロックはビデオカメラとして、持ち運び可能な筐体に収められ、ユーザー操作により、映像および音声情報の記録再生を行う。
【００２４】
図２は本実施例である撮影装置において、ユーザー操作によるカメラのモード遷移動作とカメラ間の通信を説明するための図である。
【００２５】
１０１〜1０７はＱ１点〜Ｑ５点、Ｐ１点〜Ｐ３点におけるユーザー操作に応じて行われる通信動作、内容を示している。
【００２６】
この両図に基づいて、カメラ１(ユーザー本人、以下、本ユーザーと称す)とカメラ２(別のユーザーで、ユーザー２と称す)とが、同時撮影を行う際の各カメラの動作とカメラ間の通信について詳細を説明する。カメラ１とカメラ２は、どちらも図１のシステムであることとして、同一部分については、同じ番号と同じ呼び名とする。
【００２７】
本ユーザがカメラ１を操作し、ユーザー２が持つカメラ２のパラメータ設定値をカメラ１に設定する操作について説明する。
【００２８】
両カメラには情報通信機能が搭載されており、通信機能を開始するにはカメラを通信モードに設定する必要がある。通信モードに設定した際、グループＩＤ(任意の数字、文字、記号の組み合わせでできる文字列)が設定でき、グループＩＤが同一であるカメラと通信を行うことができる。
【００２９】
カメラ１およびカメラ２の電源をオン状態にする。動作モードはスタンバイモードである。
【００３０】
Ｑ１点において通信１０１では、カメラ１の通信を開始させるため、本ユーザーが操作系８を操作し通信モードにし、グループＩＤを設定する。ここでカメラ１のユーザ情報メモリ５から撮影パラメータ設定値が読み出され、カメラの動作モードであるスタンバイ状態を示す動作コード情報、バッテリー残量情報、メモリ残量情報のカメラ１情報がシステム制御６より無線通信回路７に送られる。無線通信回路７では、通信範囲内のカメラに向けて、通信の応答を求めるネゴシエイションの通信呼びかけと上記カメラ１情報送信を行う。
【００３１】
この時点では、カメラ２は通信モードに設定されていないため応答はない。図２では、２台のカメラしか示していないが、もし他のカメラが通信可能地域で応答状態に有れば応答が入ることになるが、この時点では、他に応答するカメラが通信範囲内に存在しない想定なので、カメラ１には他のカメラ情報は表示されない。
【００３２】
Ｐ１点において通信１０２では、カメラ２の通信を開始させるため、ユーザー２が操作系８を操作し通信モードにし、グループＩＤをカメラ１の同一ＩＤに設定する。ここでカメラ２のユーザ情報メモリ５から撮影パラメータ設定値が読み出され、カメラの動作モードであるスタンバイ状態を示す動作コード情報、ズーム情報、バッテリー残量情報、メモリ残量情報のカメラ２情報がシステム制御６より無線通信回路７に送られる。無線通信回路７では、通信範囲内のカメラに向けて、通信応答を応答を求めるネゴシエイションの通信呼びかけと上記カメラ２情報送信を行う。
【００３３】
Ｑ２点において、カメラ１は通信１０２の通信呼びかけに対し、グループＩＤの一致により通信を承諾し、カメラ２情報を無線通信回路７が受信し、システム制御６によりユーザー情報メモリ５に格納される。
【００３４】
カメラ１のＬＣＤ直視パネル９には図３に示すように、通信が可能なカメラ２のカメラ動作モードであるスタンバイ状態を示す動作モード情報、ズーム情報、バッテリー残量情報がユーザー情報メモリ５より読み出され、システム制御６により表示される。この情報表示は本ユーザーが操作系８操作することでＯＮ/ＯＦＦすることができる。
【００３５】
通信１０３にて、カメラ１より通信承諾情報とカメラ１情報が送信される。Ｐ２点にてカメラ２はカメラ１情報を無線通信回路７が受信し、システム制御６によりユーザー情報メモリ５に格納される。カメラ２にもカメラ１と同様な情報表示がＬＣＤ直視パネル９に表示される。
【００３６】
Ｑ３点において、カメラ１のパラメータ設定をカメラ２のパラメータに変更するため、本ユーザーが操作系８を操作してパラメータ設定画面をＬＣＤ直視パネル9に表示する。パラメータ設定画面表示例を図４に示す。パラメータ設定画面では自身のカメラ１と通信を行っているカメラ２の撮影パラメータ情報を見ることができ、差異を確認することができる。カメラ２のパラメータ情報はユーザーメモリ５より読み出したものである。パラメータ設定画面ではユーザーが操作系８を操作して、各カメラを選択することができ、選択されたカメラ情報部分は色つき等により識別表示される。画面初期状態では自身カメラ１が選択されており、ＬＣＤファインダー１０にカメラ１映像が表示される。ユーザー操作によりカメラ２が選択された場合はカメラ１より通信１０４にて、カメラ２に対しカメラ２映像送信を要求する。要求を受けたカメラ２は通信１０５にてカメラ２映像をカメラ１に送信する。ＬＣＤファインダー１０に通信１０５にて受信したカメラ２映像を表示する。
【００３７】
カメラ２が選択されており、ＬＣＤファインダー１０にカメラ２映像が表示されている場合、本ユーザー操作によりＬＣＤ直視パネル９に表示されているパラメータ設定画面をカメラ１映像に切り換えることができ、カメラ１映像とカメラ２映像を比較することができる。
【００３８】
パラメータを変更するには、パラメータ設定画面にてカメラ２を選択し、本ユーザーが操作系８を操作して設定変更実行を行うと、カメラ２のパラメータ情報に設定変更される。変更の際、変更する任意のパラメータ(例えば：記録モードと撮影モードのみ)を選択して設定変更実行することもできる。
【００３９】
またカメラ２映像を表示する操作は撮影中においても操作することができ、本ユーザーがＬＣＤ直視パネル９を見てカメラ１にて撮影をしながら、カメラ２の撮影映像をＬＣＤファインダー１０により確認することができる。これにより、より連携がとれた複数台による同時撮影が行うことができる。
【００４０】
パラメータを変更した場合は、変更情報元カメラ(本実施例ではカメラ２)がユーザー情報メモリ５に記憶される。
【００４１】
Ｐ２点においてカメラ２がパラメータを変更した場合、変更されたパラメータ情報が通信１０６にてカメラ１に送信される。カメラ１はユーザー情報メモリ５に格納されているカメラ２のパラメータ情報と受信した変更されたカメラ２パラメータ情報をシステム制御６にて比較し差異がある場合は、ユーザー情報メモリ５に格納されているカメラ２パラメータ情報を変更されたカメラ２パラメータ情報に書き換える。その際変更情報元カメラ(本実施例ではカメラ２)がパラメータを変更したカメラ(本実施例ではカメラ２)と一致している場合は、パラメータ変更情報をカメラ１のＬＣＤ直視パネル９に表示し、変更された内容を反映するかの選択を本ユーザーが行うことができる。
【００４２】
この動作により、パラメータ設定変更後にカメラ２がパラメータを変更しても変更内容がカメラ１に反映することができるため、常にカメラ１はカメラ２とパラメータ設定は同じにすることができ、両カメラは同じ画質ので撮影することができる。
【００４３】
またＰ３点においてカメラ２の動作モード情報、ズーム情報に変更が発生した場合は通信１０７にて動作モード情報、ズーム情報、バッテリー残量情報、メモリ残量情報をカメラ１に送信する。受信したカメラ１はユーザー情報メモリに格納されている情報を受信した情報に更新し、またＬＣＤ直視パネル９に表示されている情報も更新する。
【００４４】
バッテリー残量情報、メモリ残量情報は定期的にカメラ１とカメラ２間で送受信を行い、ユーザー情報メモリに格納されている情報とＬＣＤ直視パネル９に表示されている情報を最新の情報に更新する。
【００４５】
通信モードはユーザーが操作系８を操作してモード解除するか、電源をＯＦＦすることにより終了する。その際にカメラ２のパラメータ設定値に変更を行っている場合は、変更をそのまま保存するか、初期のパラメータ設定値に戻すかを選択することができる。
【００４６】
（実施例２）
実施例１におけるパラメータ設定画面の他表示実施例を図５を用いて説明する。
【００４７】
ＬＣＤ直視パネル９画面上にカメラ１の映像とカメラ２の映像を画面分割表示にて表示する。その際同一画面上にパラメータ情報も表示する。本実施例では、画面左側にカメラ１映像、画面右側にカメラ２映像を表示し、上下カメラ映像を表示していない余白部分にパラメータ情報を表示する。変更設定のカメラを選択する場合は映像画面枠に色を付けたり、太枠にすることにより識別表示し選択カメラを決定する。この表示方法はＬＣＤファインダー１０に表示することも可能である。
【００４８】
（実施例３）
実施例１におけるパラメータ設定画面の他表示実施例を図６を用いて説明する。
【００４９】
パラメータ設定画面を表示した際、初期画面ではＬＣＤ直視パネル９画面全体にカメラ１のカメラ映像を表示し、画面内にカメラ1パラメータ情報を重ねて表示する。本ユーザーにより操作系８を操作することでカメラ１とカメラ２の映像表示を切り換えることができ、カメラ２に切り換えた場合はＬＣＤ直視パネル９画面全体にカメラ２のカメラ映像を表示し、画面内にカメラ２パラメータ情報を重ねて表示する。パラメータ設定変更を実行する場合は表示されているカメラ映像のパラメータ設定に変更される。この表示方法はＬＣＤファインダー１０に表示することも可能である。
【００５０】
（実施例４）
ＬＣＤ直視パネル９にユーザーが画面を見る角度により表示画像が異なる１画面２画像液晶パネルを使用する。パラメータ設定画面になった際、左方向より見た画面には図４のパラメータ設定表示画面表示例を表示し、右方向より見た画面には選択されているカメラのカメラ映像を表示する。図４での本実施例ではカメラ２が選択されており、右方向より見た画像にカメラ２映像が表示されている。本ユーザー操作により左方向より見た画面に表示されているパラメータ設定画面をカメラ１映像に切り換えることができ、カメラ１映像とカメラ２映像を見る角度を変えることで比較することができる。
【図面の簡単な説明】
【００５１】
【図１】本発明の一実施例の回路ブロック図である。
【図２】本発明実施例の通信タイミングの説明図である。
【図３】本発明の撮影装置に表示される表示例である。
【図４】本発明の撮影装置に表示される表示例である。
【図５】本発明の撮影装置に表示される表示例である。
【図６】本発明の撮影装置に表示される表示例である。
【符号の説明】
【００５２】
１  映像・音声入力手段
２  信号処理手段
３  ドライブ装置
４  ＤＶＤ−Ｒ
５  ユーザー情報メモリ
６  システム制御手段
７  無線通信回路
８  操作系
９  ＬＣＤ直視パネル
１０  ＬＣＤファインダー
【図１】
2008042462.tif 000003
【図２】
2008042462.tif 000004
【図３】
2008042462.tif 000005
【図４】
2008042462.tif 000006
【図５】
2008042462.tif 000007
【図６】
2008042462.tif 000008